(57)【特許請求の範囲】
【請求項１】
長手軸（Ｘ）を有するタービンエンジンの静翼アセンブリにして、内側ケーシング（１８）と、高圧タービン案内翼アセンブリを形成するブレード（１２）を備えた少なくとも２つの角度セクタ（８．１）とを備え、前記角度セクタ（８．１）がケーシング（１８）に固定され、各角度セクタ（８．１）が、少なくとも１枚のブレード（１２）が半径方向外側に突出するプラットフォーム（２０）と、角度セクタ（８．１）をケーシング（１８）に締結するための締結タブ（２２）とを備え、前記締結タブ（２２）がプラットフォーム（２０）から半径方向内側に突出し、ケーシング（１８）が締結タブ（２２）を受承するための長手方向軸（Ｘ）を有する第１の環状溝（２４）を備える静翼アセンブリであって、静翼アセンブリが、角度セクタ（８．１）を保持するための半径方向保持ピン（３０）で、ケーシング（１８）および締結タブ（２２）内に作られた穴（３６、３２、３４）に差し込まれる保持ピン（３０）を備え、前記穴（３６、３２、３４）が長手方向軸（Ｘ）にほぼ平行な軸を有し、ケーシング（１８）がさらに半径方向保持ピン（３０）の軸方向保持リング（２８）を受承するための長手方向軸（Ｘ）を有する第２の環状溝（２６）を備え、前記軸方向保持リング（２８）が第１の溝（２４）に対して燃焼チャンバ側に位置決めされる、静翼アセンブリ。
【請求項２】
各ピンが、ピン（３０）において頭部（３０．２）と尾部（３０．１）とを軸方向に画定する第１の半径方向スカート（３７）を備え、尾部（３０．１）がケーシング（１８）の穴と締結タブ（２２）の穴とを貫通し、前記第１のスカート（３７）が、片方の面で第１の溝（２４）と第２の溝（２６）とを仕切る環状リブ（２７）に当接し、他方の面で軸方向保持リング（２８）に当接し、軸方向保持リング（２８）が、半径方向外側縁部で、半径方向内側に配向された各半径方向保持ピン（３０）の頭部（３０．２）の周囲の一部に当接する、請求項１に記載の静翼アセンブリ。
【請求項３】
半径方向保持ピン（３０）が、頭部（３０．２）の一自由端部に第２の半径方向スカート（４４）を備え、前記第２のスカート（４４）が第１のスカート（３７）と共に、第２の環状溝（２６）の幅とほぼ同じ幅のスペースを画定し、リング（２８）の半径方向外側縁部の一部を受承する、請求項２に記載の静翼アセンブリ。
【請求項４】
半径方向保持ピン（３０）の第１のスカート（３７）および第２のスカート（４４）がそれぞれ、平坦部分（３７’、４４’）と、半径方向保持ピン（３０）の角度固定手段（４８）とを備える、請求項３に記載の静翼アセンブリ。
【請求項５】
角度固定手段が、スカート（３７）の平坦部分（３７’）が半径方向外側に配向されるように、環状仕切りリブ（２７）の穴（３６）に接する第１のスカート（３７）の形状に対応する形状の平坦部分（４８）を備えるハウジングによって形成される、請求項４に記載の静翼アセンブリ。
【請求項６】
軸方向保持リング（２８）がスロット付きリングであり、軸方向止め縁部が閉ループを形成するように重なり合う２つの端部（２８．１、２８．２）を備える、請求項１から５のいずれか一項に記載の静翼アセンブリ。
【請求項７】
軸方向保持リング（２８）の両端部（２８．１、２８．２）がより薄くなっており、両端部（２８．１、２８．２）が重なり合うより厚みのある部分によって接続され、両端部（２８．１、２８．２）の各々が、両端部をより近付ける、またはさらに離間するための器具を挿入するための少なくとも１つの穿孔を備える、請求項６に記載の静翼アセンブリ。
【請求項８】
仕切りリブ（２７）に対向する第１の溝（２４）の面が、半径方向保持ピン（３０）の尾部（３０．１）の自由端部を各々が受承する非貫通穴（４０）を備える、請求項１から７のいずれか一項と請求項２とを組み合わせた、静翼アセンブリ。
【請求項９】
仕切りリブ（２７）に対向する第１の溝（２４）の面が、半径方向保持ピン（３０）の尾部（３０．１）の自由端部を各々が受承する貫通穴（３８）を備える、請求項１および３から７のいずれか一項と請求項２とを組み合わせた、静翼アセンブリ。
【請求項１０】
半径方向保持ピン（３０）の尾部（３０．１）の自由端部が、仕切りリブ（２７）に対向する第１の溝（２４）の面に当接する、請求項１および３から７のいずれか一項と請求項２とを組み合わせた、静翼アセンブリ。
【請求項１１】
角度セクタ（８．１）の締結タブ（２２）が各々、長手方向軸（Ｘ）を中心とする円の弧上に位置決めされる２つの穴（３２、３４）を備え、一方の穴（３２）が円形断面を有し、他方の穴（３４）が長円形断面を有し、長円形の長い方の寸法が円の弧とほぼ位置合わせされる、請求項１から１０のいずれか一項に記載の静翼アセンブリ。
【請求項１２】
請求項１から１１のいずれか一項に記載の静翼アセンブリを少なくとも１つ備える、タービンエンジン。
【発明の詳細な説明】
【技術分野】
【０００１】
本発明は、特に、航空機ターボジェットエンジンのタービンエンジンの静翼アセンブリ、例えば、高圧または低圧タービン案内翼および少なくとも１つのそのような静翼アセンブリを備えるタービンエンジンに関する。
【背景技術】
【０００２】
航空機ターボジェットエンジンは、本来、高圧圧縮機、低圧圧縮機、燃焼チャンバ、高圧タービンエンジン、および低圧タービンエンジンを備えるものである。
【０００３】
圧縮機は大気の圧力を増加させるためのものであり、燃焼チャンバは圧縮機によって圧縮された空気を燃料と混合してその混合物を燃焼させ、放出された流れ方向に配置されたタービンが高温ガス流によって駆動される。タービンは、特に、圧縮機を駆動する働きをする。
【０００４】
圧縮機はロータ翼を備え、案内静翼は圧縮段間の流れを案内する。
【０００５】
燃焼チャンバの出口に、固定された高圧案内翼アセンブリが配設され、燃焼チャンバを出る高温ガス流が高圧タービンと接触する前に高温ガス流の流れを整流する。この高圧案内翼アセンブリは、内側ケーシングと呼ばれるケーシングに固定されたリングと、半径方向外側に伸びるブレードとを備える。内側ケーシングは、確実に圧縮機とタービンとを接続するものである。
【０００６】
案内翼アセンブリは複数のセクタからなり、各々のセクタが内側ケーシングに固定される。
【０００７】
各セクタは、本来、半径方向外側に伸びるブレードの根元にあるプラットフォームと、半径方向内側に伸びるケーシングに締結するための締結タブとを備える。タブは、高圧タービンの側に設けられた内側ケーシングの２つの穴と位置合わせされる２つの穴を備え、ピンがこれらの位置合わせされた穴に挿入され、ピンを軸方向に保持するためにフランジがピンの下流側に付けられる。
【０００８】
このタイプのターボジェットエンジンは、例えば、仏国特許第２９０７４９９号明細書で知られているエンジンである。
【０００９】
このタイプの締結は十分なものであるが、アセンブリはかなりの質量であり、ピンの軸方向固定は追加の環状フランジによって得られる。
【先行技術文献】
【特許文献】
【００１０】
【特許文献１】仏国特許第２９０７４９９号明細書
【発明の概要】
【発明が解決しようとする課題】
【００１１】
本発明の１つの目的は、質量が低減されたタービンエンジン用静翼アセンブリを提案することである。
【課題を解決するための手段】
【００１２】
上述の目的は、ブレードおよびプラットフォームを備え、ブレードがプラットフォームから半径方向外側に伸びる少なくとも２つの角度セクタと、角度セクタが固定されるケーシングとを備えるタービンエンジンの静翼アセンブリによって達成される。角度セクタの半径方向の保持は、プラットフォームから半径方向内側に突出するタブを貫通するピンと、ケーシングの溝に取り付けられ、前記ピンを角度セクタの半径方向保持位置で保つように前記ピンの軸方向止め部を形成するリングを使用することによって得られる。
【００１３】
言いかえれば、先行技術のフランジは、そのフランジに比べて質量の小さい単純な弾性リングに代替される。さらに、所定の位置でのその配置とメンテナンスは、非常に簡単である。また、リングは、角度セクタのメンテナンスを行う場合に、取り外し易い。
【００１４】
案内翼アセンブリ−内側ケーシングアセンブリの特定の場合では、案内翼アセンブリを内側ケーシングに締結するピンは、前記ピンの軸方向の保持リングと同様に燃焼チャンバ側に取り付けられる。次に、燃焼チャンバ側のこれまで使用されていない利用可能なスペースが組立を行うのに使用される。このことで高圧タービンを案内翼アセンブリのできるだけ近くに位置決めすることが可能になる。
【００１５】
次に、本発明は、主に、長手軸を有するタービンエンジンの静翼アセンブリであって、ケーシングと、ブレードを備えた少なくとも２つの角度セクタとを備え、前記角度セクタはケーシングに固定され、各角度セクタは、少なくとも１枚のブレードが半径方向外側に伸びるプラットフォームと、角度セクタをケーシングに締結するための締結タブとを備え、前記締結タブはプラットフォームから半径方向内側に突出し、ケーシングは締結タブを受承するための長手方向軸を有する第１の環状溝を備える静翼アセンブリに関する。静翼アセンブリは、角度セクタを保持するための半径方向保持ピンで、ケーシングおよび締結タブ内に作られた穴に差し込まれる保持ピンを備え、前記穴は長手方向軸に平行な軸を有し、ケーシングはさらに半径方向保持ピンの軸方向保持リングを受承するための長手方向軸を有する第２の環状溝を備える。
【００１６】
各ピンは、頭部と尾部とを軸方向に画定する第１の半径方向スカートを備え、尾部がケーシングの穴と締結タブの穴とを貫通し、前記第１のスカートは、片方の面で第１の溝と第２の溝とを仕切る環状リブに当接し、他方の面でリングに当接し、リングは、半径方向外側縁部で、半径方向内側に配向された各ピンの頭部の周囲の一部に当接する。
【００１７】
有利には、ピンは、頭部の一自由端部に第２の半径方向スカートを備え、前記第２のスカートは第１のスカートと共に、第２の環状溝の幅とほぼ同じ幅のスペースを画定し、リングの半径方向外側縁部の一部を受承する。
【００１８】
ピンの第１および第２のスカートはそれぞれ、平坦部分とピンの角度固定手段とを備えることができる。角度固定手段は、例えば、スカートの平坦部分が半径方向外側に配向されるように、環状仕切りリブの穴に接する第１のスカートの形状に対応する形状の平坦部分を備えるハウジングによって形成される。
【００１９】
リングはスロット付きリングとすることができ、有利には、リングが閉ループを形成するように重なり合う２つの端部を備える。
【００２０】
例えば、リングの両端部はより薄くなっており、両端部が重なり合うより厚みのある部分によって接続され、両端部の各端部は、両端部をより近付ける、またはさらに離間するための器具を挿入するための少なくとも１つの穿孔を備える。
【００２１】
１つの代替形態では、仕切りリブに対向する第１の溝の面は、各々がピン尾部の自由端部を受承する非貫通穴を備える。
【００２２】
別の代替形態では、仕切りリブに対向する第１の溝の面は、各々がピン尾部の自由端部を受承する貫通穴を備える。
【００２３】
別の代替形態では、ピン尾部の自由端部は、仕切りリブに対向する第１の溝の面に当接する。
【００２４】
角度セクタの締結タブは各々、長手方向軸を中心とする円の弧上に位置決めされる２つの穴を備え、一方は円形断面を有し、他方は長円形断面を有し、長円形の長い方の寸法は円の弧とほぼ位置合わせされる。
【００２５】
ケーシングは、例えば、内側ケーシングであり、角度セクタは、高圧タービンの案内翼アセンブリを形成し、リングは、第１の溝に対して燃焼チャンバ側に配置される。
【００２６】
本発明はさらに、本発明の少なくとも１つの静翼アセンブリを備えるタービンエンジンに関する。
【００２７】
本発明は、以下の説明および図面を使用すれば、より十分に理解される。
【図面の簡単な説明】
【００２８】
【図１Ａ】燃焼チャンバおよび高圧タービンにおける、本発明のターボジェットエンジンの一部の長手方向断面図である。
【図１Ｂ】図１Ａのターボジェットエンジンの案内翼アセンブリの角度セクタの正面図である。
【図２】内側ケーシングへの高圧案内翼アセンブリの締結時の図１の拡大図である。
【図３Ａ】図２の代替形態の詳細図である。
【図３Ｂ】図２の代替形態の詳細図である。
【図３Ｃ】図２の代替形態の詳細図である。
【図４】半径方向保持ピンの軸方向止め部を形成するリングの斜視図である。
【図５】内側ケーシングへの角度セクタの締結の別の実施形態の拡大断面図である。
【図６】図５の代替形態の長手方向断面図である。
【図７】図６の代替形態のケーシングと角度セクタとの接続部の燃焼チャンバ側の正面図である。
【発明を実施するための形態】
【００２９】
以下に、高圧タービンの案内翼アセンブリを詳細に説明するが、本発明は、案内翼アセンブリに限定されるのではなく、タービンエンジンの任意の静翼アセンブリに適用できるものである。
【００３０】
説明では、図１における左から右への方向は、ガス流の流れ方向に対応し、左は上流側、右は下流側で示されるものとする。
【００３１】
簡略化のために、示される種々の実施形態における同じ機能およびほぼ同じ構造を有する要素を指すのに、同じ符号を使用するものとする。
【００３２】
図１Ａは、回転軸Ｘを有する本発明のターボジェットエンジンの詳細図である。このターボジェットエンジンは、特に、圧縮機（図示せず）からの空気用の吸気オリフィス４と燃焼ガス用の排気オリフィス６とを上流側に備えた燃焼チャンバ２を備える。ターボジェットエンジンはさらに、排気オリフィス６の上流側に配置される高圧案内翼アセンブリ８、案内翼アセンブリ８の下流側にあり圧縮機を駆動する高圧タービン１０を備える。
【００３３】
燃焼チャンバ２は、外側ケーシングに固定される半径方向外側エンクロージャ１４と、内側ケーシング１８に固定される半径方向内側エンクロージャ１６（「内側ケーシング」と称す）とからなる。
【００３４】
案内翼アセンブリ８は、内側ケーシング１８に固定される。図２で詳細に示されるように、案内翼アセンブリ８は、半径方向外側リング９と半径方向内側リング１１との間に伸びるブレード１２を備える。ブレード１２は、燃焼ガスの流路の排気オリフィス６の下流側に配置される。これらのブレード１２は、燃焼チャンバ２を出るガス流が高圧タービン１０と接触する前に、その流れを整流するためのものである。
【００３５】
案内翼アセンブリ８は、内側ケーシング１８に別個に固定される少なくとも２つの角度セクタ８．１からなる。例として、案内翼アセンブリ８は、各々に２枚のブレードが配設された１６個の角度セクタ８．１を備える。
【００３６】
ブレード１２は、案内翼アセンブリ８の内側クラウン１１の一部を形成するプラットフォーム２０から半径方向外側に伸びる。プラットフォーム２０を内側ケーシング１８に締結するための締結タブ２２は、ブレード１２を支承するプラットフォーム２０の反対面のプラットフォーム２０の内側に向かって半径方向に突出する。
【００３７】
角度セクタ８．１の全てが内側ケーシングに固定されると、端から端まで配置されたプラットフォームは連続リングを形成する。
【００３８】
図２は、その下流側１８．１に、軸Ｘを有して半径方向外側に開口する第１の環状溝２４と、軸Ｘを有して半径方向外側に開口する第２の環状溝２６とを備える内側ケーシング１８を示す。第１の溝２４は、第２の溝２６と高圧タービン１０との間に位置決めされる。第１の溝２４は、第１の環状リブ２５と第２の環状リブ２７とによって画定され、第２の環状溝２６は、第２の環状リブ２７と第３の環状リブ２９とによって画定され、第２の環状リブ２７は、第１の溝２４と第２の溝２６とを仕切るリブである。
【００３９】
第１の溝２４は、高圧案内翼アセンブリ８の角度セクタの締結タブ２２を受承する。
【００４０】
本発明によれば、角度セクタ８．１を半径方向に保持するためのピン３０は、締結タブ２２の穴および内側ケーシング１８の穴に差し込まれ、ピン３０は角度セクタを内側ケーシング１８に固定する。リング２８は、第２の溝２６内に配設されて、半径方向保持ピン３０の軸方向止め部を形成する。
【００４１】
好適な実施形態によれば、半径方向保持ピン３０は、内側ケーシング１８および燃焼チャンバ２側の締結タブ２２内に取り付けられ、さらに保持リング２８が取り付けられる。このとき、案内翼アセンブリ８とタービン１０との間の距離は、タービン１０と案内翼アセンブリ８との間の機械的干渉を避けるために遊びを考慮に入れながら、できる限り短くされる。
【００４２】
図１Ｂに示されるように、各締結タブ２２は、軸Ｘを中心とした円形部分の弧に位置決めされた２つの貫通穴３２、３４を備える。一方の穴３２は、半径方向保持ピン３０が穴３２内に配置できるように保持ピン３０の直径とほぼ同じ直径の円形断面を有し、他方の穴３４は、長い方の寸法が軸Ｘを中心とする円の弧に沿って配向され、短い方の直径が半径方向保持ピン３０の直径とほぼ同じである長円形断面を有する。円形穴と長円形穴とを実現することで、寸法が変化した場合でも組み立てることができる。
【００４３】
第２の環状リブ２７も、内側ケーシング１８に固定される案内翼アセンブリ角度セクタと同じ数の組の穴３６を備える。
【００４４】
各組の穴３６の半径方向位置および相対的間隔は、角度セクタ８．１が所定の位置にあるときに、穴３６が角度セクタ８．１の穴３２、３４と位置合わせされる。図示された例では、プラットフォーム２０は、第１の環状リブ２５の半径方向外側端部で支承する。
【００４５】
穴３２、３４、３６は、長手方向軸Ｘにほぼ平行な軸を有する。
【００４６】
有利には、穴３６の上流側端部は、ピン３０の配置を容易にするために傾斜している。
【００４７】
各半径方向保持ピン３０は、第２の環状リブ２７の穴３６および締結タブ２２の穴３２または３４を貫通する。
【００４８】
各半径方向保持ピン３０は、図示された例では、半径方向に突出して第２の環状リブ２７の上流側面に当接するスカート３７によって形成された少なくとも１つの軸方向止め部を備える。
【００４９】
このスカート３７は、半径方向保持ピン３０において、穴３６および穴３２または３４を貫通する尾部３０．１と、燃焼チャンバ２側に位置決めされる頭部３０．２とを軸方向に画定する。
【００５０】
図３Ａから図３Ｃは、第１のリブ２５の異なる形状を示す。
【００５１】
図３Ａでは、第１のリブ２５は平面上流側面を備え、ピン３０の尾部３０．１の自由端部はその面に当接している。この実施形態は、非常に単純であり、異なる圧力状態にある内側ケーシング１８の両側の２つのゾーン間の封止を損なわない。
【００５２】
図３Ｂでは、第１のリブ２５は、各ピン３０の尾部３０．１の自由端部を受承する複数の組の貫通孔３８を備える。穴３８の組の数は、固定される案内翼アセンブリの角度セクタの数に等しい。この実施形態は、製造しやすく、角度セクタと内側ケーシングとの接続部の十分な剛性が確実に得られる。
【００５３】
図３Ｃは、別の代替形態を示す。第１のリブ２５は、半径方向保持ピン３０の尾部３０．１の自由端部を受承する複数の組の非貫通穴４０を備える。穴４０の組の数は、固定される案内翼アセンブリの角度セクタの数に等しい。したがって、各尾部３０．１の自由端部は、穴４０の底部に当接する。
【００５４】
この代替の実施形態により、封止が損なわれず、角度セクタと内側ケーシングとの間の接続部の十分な剛性が確実に得られる。
【００５５】
図示された例では、第２のリブ２７の上流側面は、スカート３７が第２のリブ２７の上流側面から突出しないようにスカートを受承するための凹部４２を備え、軸方向保持リング２８の配置に苦労することがないようにする。
【００５６】
軸方向保持リング２８は、スカート３７の上流側面に当接する第２の溝内に配置され、半径方向保持ピン３０の軸方向止め部を形成する。
【００５７】
軸方向保持リング２８は、第２の環状溝２７の幅にほぼ等しい厚さを有する。
【００５８】
軸方向保持リング２８は、止め輪タイプのリングであり、スロットが付けられ、その両端部２８．１および２８．２は、リング２８が第２の溝２６および半径方向保持ピン３０のアセンブリにそれぞれ取り付けられるように離間され、または近付けられる。図４は、スロット付きゾーンの軸方向保持リングを示す。端部２８．１および２８．２は、段形状であり、組立位置で少なくとも部分的に重なって、連続円形止め部を形成する。また、被覆は、軸方向保持リング２８が作動時に開口するのを防ぐのに十分であり、開口部が半径方向保持ピン３０の反対側にあった場合、被覆はリング２８がその機能を行うのを妨げることになる。
【００５９】
さらに、両端部２８．１および２８．２のこの重なりにより、軸方向保持リング２８が弾性を失うことにより第２の環状溝２６から抜けてしまうリスクもなく、軸方向保持リング２８をそのハウジング内に収容することができる。
【００６０】
両端部２８．１および２８．２はそれぞれ、リングのスペーシング器具を挿入するための穿孔を備える。
【００６１】
内側ケーシング１８への高圧案内翼アセンブリ８の組立について説明する。
【００６２】
軸方向保持リング２８の両端部２８．１および２８．２は、軸方向保持リング２８が第２の溝２６内に配置されるように離間される。
【００６３】
次に、角度セクタ８．１が内側ケーシング上に配置され、より詳細には、それらのタブ２２が第１の溝２４内に挿入され、各タブ２２の下流側面と第１のリブ２５の上流側面との間および第１のリブ２５の上流側面と第２のリブ２７の下流側面との間にそれぞれ機能遊びが設けられて、内側ケーシング２８および案内翼アセンブリの膨張による寸法変化に適応させると同時に、角度セクタの動きを少なくするようにする。
【００６４】
締結タブ２２は、締結タブ２２の穴３２、３４を第２のリブ２７の穴３６と位置合わせするように第１の溝２４に挿入される。
【００６５】
次に、半径方向保持ピン３０は、それらのスカート３７が第２のリブ２７の上流側面に当接するまで、長手方向軸Ｘに平行な方向に沿って、いくつかは位置合わせした穴３４、３６内に挿入され、その他は位置合わせした穴３４、３６内に挿入される。そのためには、軸方向保持リング２８は締められて、第２の溝の底部に押し込まれる。半径方向保持ピン３０が全て所定の位置に収まると、軸方向保持リング２８は解除される。リング２８は、その弾性により、半径方向外側縁部でピンの頭部３０．２に当接し、スカート３７の半径方向止め部を形成する。リング２８を頭部３０．２に対して半径方向に支承することで、軸方向保持リング２８の横断方向の固定が確実に得られる。
【００６６】
半径方向保持ピン３０が穴３２、３６または３４、３６から外れるリスクは非常に低い。それは、一方ではリングがその弾性を失って溝の底部まで下がる必要があり、他方では、ピン３０が軸方向に動く必要があるためである。
【００６７】
図５は、本発明の内側ケーシングへの案内翼アセンブリの組立の第２の実施形態を示す。
【００６８】
この第２の実施例では、半径方向保持ピン３０は、半径方向保持ピン３０の頭部３０．２の自由端部に位置する第２のスカート４４を備える。第２のスカート４４は、第１のスカート３７と共に、軸方向保持リング２８を受承する溝を画定する。
【００６９】
したがって、軸方向保持リング２８は、その半径方向内側縁部で第２の溝２６内に受承され、その半径方向外側縁部でスカート３７と４４との間に受承される。スカート３７、４４は、図示された例では、同じ直径を有する。しかしながら、異なる直径を有するスカートを配設することも可能である。
【００７０】
したがって、非常に強い振動の場合でも、軸方向保持リング２８は外れることはない。
【００７１】
この第２の実施形態の組立は、第１の実施形態に非常に似ている。しかしながら、この場合、軸方向保持リング２８の角度位置は、軸方向保持リング２８の両端部２８．１の２つの穿孔に締め付け工具が使えるように、この２つの穿孔が２つの半径方向保持ピン３０間に位置するような位置になる。
【００７２】
図６は、第２の実施形態の代替形態を示す。この場合、案内翼アセンブリは、燃焼チャンバ２のケーシングを支承する封止ストリップ４６を備える。案内翼アセンブリの角度セクタ８．１が所定の位置にあるとき、封止ストリップ４６は第２のリブ２７の穴３６の軸方向上流側に位置決めされ、ピン３０の配置に苦労する。実際に、ピンの挿入時に、封止ストリップ４６の半径方向内側端部は、半径方向外側に位置決められる半径方向保持ピン３０の周囲の邪魔になる。
【００７３】
そのために、半径方向保持ピン３０の第１のスカート３７および第２のスカート４４上に平坦部分３７’および４４’を作ることとなる。これらの平坦部分３７’および４４’は、半径方向外側に向かって配向されて、ストリップ４６に接触せずにピンを挿入できるようにする。
【００７４】
さらに、平坦部分３７’および４４’が半径方向内側に向かないように回転時にピンを固定することとなる。この場合、スカート３７および４４は、リング２８の半径方向外側縁部を受承する溝を画定しなくなる。
【００７５】
ピン３０の角度固定は、半径方向外側で穴３６の上流側端部に接するハウジング内に平坦部分４８を形成することによって得られる。この平坦部分４８は、スカート３７の平坦部分３７’の形状に対応する形状を有する。２つの平坦部分３７’と４８とが協働することで、ピン３０の回転を防ぐ。
【００７６】
図７は、高圧案内翼アセンブリ８の上流側面および平坦部分４４’を有する半径方向保持ピン３０が付けられた内側ケーシング１８を示す図である。
【００７７】
この実施形態では、第３のリブ２９は、２つの穴３６間に角度的に位置決めされる凹部５０を備える。これらの凹部により、内側ケーシングの質量、ひいてはタービンエンジンの質量を低減することができる。
【００７８】
本発明は、タービンエンジンの全ての固定翼アセンブリに適用可能であり、より詳細には、タービン案内翼アセンブリの組立に適用可能である。
【図１Ａ】
0005412518.tif 000002
【図１Ｂ】
0005412518.tif 000003
【図２】
0005412518.tif 000004
【図３Ａ】
0005412518.tif 000005
【図３Ｂ】
0005412518.tif 000006
【図３Ｃ】
0005412518.tif 000007
【図４】
0005412518.tif 000008
【図５】
0005412518.tif 000009
【図６】
0005412518.tif 000010
【図７】
0005412518.tif 000011